(57)【要約】【課題】  従来、この種のリング形状（多重環状）の樹脂リング製品を射出成形で成形するには、キャビティ内に均等に溶融樹脂が注入されず、美麗な成形ができなかった。理由は、例えば、このリングの肉厚が、略１ｍｍ程度であって、リングが幾十にも積層されて、リング形状の樹脂製品が製造されている。またリング間の隙間が、略１ｍｍ程度となる構造にある。従って、自動成形する成形機はなかった。【構成】  本発明は、成形機に設置された溶融樹脂生成部と、溶融樹脂生成部に設けた溶融樹脂注入部と、溶融樹脂注入部に連通する注入口を備えた固定金型と、固定金型に対峙し、かつ成形機に移動可能に設けられた可動金型とで構成した樹脂リング製品の製造金型であり、固定・可動金型の表面に、複数本の放射状の湯道と、湯道のノズルの接線方向に、樹脂リング製品用の環状溝を開設した構造である。【選択図】    図１
2008120049.tif 000002
【特許請求の範囲】
【請求項１】
成形機に設置された溶融樹脂生成部と、この溶融樹脂生成部に設けた溶融樹脂注入部と、この溶融樹脂注入部に連通する注入口を備えた固定金型と、この固定金型に対峙し、かつ前記成形機に移動可能に設けられた可動金型とで構成した樹脂リング製品の製造金型であって、
前記固定金型の表面に、複数本の放射状の湯道（溶融樹脂道）と、この湯道に連通する樹脂リング製品用の環状溝と、ガイド棒挿入孔とを開設し、
またこの固定金型の内周面に、鋳込み用の金具係止用のピンを繞設し、
前記可動金型を、二枚のリング板を埋設した複数本のガイド棒を突設した第一の基板と、この第一の基板に空間をおいて対峙して設けた移動可能な第一のプレート及び／又は第二のプレートと、この第二のプレートに重畳して設けた第三のプレート及び／又は第四のプレートと、この第一のプレート〜第四のプレートを埋設した第二の基板と、この第四のプレートに設けた前記二枚のリング板に達する複数本のリング板押出し用のピンと、前記第一のプレートに設けた前記二枚のリング板に達する複数本の樹脂リング製品押出し用のピンと、前記第二のプレートを押圧するピストンロッドと、この第二のプレートと前記第一のプレートとの間に設けた空間と、前記第一の基板に他端を固止し、前記空間に一端が位置するストップピンと、前記第二のプレートと前記第三のプレートとを連結及び／又は離間可能とした、この第二のプレートと前記第三のプレートに設けた接離手段とで構成し、
また前記可動金型の表面に、複数本の放射状の湯道（溶融樹脂道）と、この湯道に連通する樹脂リング製品用の環状溝とを開設し、
さらに前記可動金型の内周面の表面に、前記鋳込み用の金具係止用のピンが挿入されるピン孔を複数個開設し、
この固定金型と可動金型とで環状のリング部及び／又は前記金具用のキャビティを構成し、このキャビティ内に溶融樹脂を充填する構成とした樹脂リング製品の製造金型。
【請求項２】
請求項１に記載の樹脂リング製品の製造金型であって、
前記可動金型の二枚のリング板の間に環状のリング板で形成する環状中子を固止する構成とした樹脂リング製品の製造金型。
【請求項３】
請求項１に記載の樹脂リング製品の製造金型であって、
前記固定金型及び可動金型の表面に設けた複数本の放射状の湯道（溶融樹脂道）は、先端のノズルを介して樹脂リング製品用の環状溝に連通し、このノズルが、環状溝の接線方向に開口する構成とした樹脂リング製品の製造金型。
【請求項４】
請求項１に記載の樹脂リング製品の製造金型であって、
前記第二のプレートと前記第三のプレートとの連結移動及び／又は離間可能とした接離手段は、この第二のプレートの側面に設けた第一の磁石と、第三のプレートの側面に設けた第二の磁石とで構成し、この第一の磁石と、第二の磁石とを、前記シリンダーのピストンロッドで離間する構成とした樹脂リング製品の製造金型。
【請求項５】
請求項１に記載の樹脂リング製品の製造金型であって、
前記固定金型を、ガイド棒挿入孔を開設した方形状の金型枠体と、この金型枠体に嵌合され、かつ複数本の放射状の湯道（溶融樹脂道）、及びこの湯道に連通する樹脂リング製品用の環状溝、並びにその内周面に繞設した複数本の鋳込み用の金具係止用のピンとでなる八角形状の金型本体と、で構成した樹脂リング製品の製造金型。
【請求項６】
請求項１に記載の樹脂リング製品の製造金型であって、
前記可動金型を、ガイド棒を設けた方形状の金型枠体と、この金型枠体に嵌合され、かつ複数本の放射状の湯道（溶融樹脂道）、及びこの湯道に連通する樹脂リング製品用の環状溝、並びにその内周面に開設した複数本の鋳込み用の金具係止用のピンが挿入される複数のピン孔とでなる八角形状の金型本体と、で構成した樹脂リング製品の製造金型。
【発明の詳細な説明】
【技術分野】
【０００１】
本発明は、リング形状の樹脂製品に金具を鋳込み鋳造する樹脂リング製品の製造金型に関する。
【背景技術】
【０００２】
従来、この種のリング形状（多重環状でなる形状）の樹脂製品を射出成形で成形するには、キャビティ内に均等に溶融樹脂が注入されず、美麗な成形ができなかった。その最大の理由は、このリングの一条（リング）の肉厚（半径方向の肉厚）が、略１ｍｍ程度であって、このリングが幾十にも積層されて、リング形状の樹脂製品が製造されている。そして、このリングの一条間の隙間が、略１ｍｍ程度の構造となっている。従って、従来の成形機では、連続的な成形は、困難であった。
【０００３】
前記の理由の他には、従来の車輌用における部品として、この種の大型のリング形状の樹脂製品は、従来は、それ程、必要がなかった。しかし、車種の多様化と、車輌の特異性から、この種の大型のリング形状の樹脂製品が要望される状況となった。
【０００４】
このような社会情勢と、公害及び／又は燃料の高騰化等を引き金として、バッテリー（電気）自動車の要望が多くなり、部品の供給と、部品の低コスト化等が要望されている。
【０００５】
以上のような要望を満足するために、本発明は、樹脂リング製品の製造金型を提供して、自動車業界から要望が多い、部品の供給と、部品の低コスト化を達成することを意図する。
【０００６】
そして、この種の樹脂リング製品の製造金型に関する先行文献の一例を説明するが、原則として、この種の樹脂リング製品の製造金型は見当たらなかったので、関連がある金型に関する先行文献（「１」第二のプレートと第三のプレートとの連結移動及び／又は離間可能とした接離手段、「２」ノズルが、環状溝の接線方向に開口する等の構造）と、射出成形機を挙げる。
【０００７】
文献（１）は、特開平８−５７８２４号の「成形型の造型方法」の発明であり、本発明の接離手段に関連するものである。この発明は、上下型（上下の金型）を、磁石を介して確実、かつ隙間なく嵌合し、かつ位置決めすることで、型組み精度の向上と、鋳造製品の品質の向上等を図ることを意図する。しかし、この発明は、磁石の磁着力を単に利用した位置決め構造であり、また対の磁石を利用して、上下型の連結移動を図る構造ではない。
【０００８】
また文献（２）は、特開平８−２２９６３３号の「鋳物砂連続混練装置」の発明であり、本発明のノズルが、環状溝の接線方向に開口する構造に関連するものである。この発明は、添加剤注入口を、混練撹拌羽根の回転方向に向って形成する構造とし、鋳物砂に添加剤を効率的に混練することを意図する。しかし、この発明は、接線方向に向って、添加剤注入口を注入する構造であり、従来の注入方法と本質的に変わらない。またこの発明は、添加剤注入口の先端を、可及的に接線方向に配備する構造でなく、精緻な接線方向への配備を検討した場合には、改良の余地がある。
【０００９】
さらに文献（３）は、特開２００５−２９７５２８の「射出成形装置および樹脂成型品の成形方法」の発明であり、本発明の全体構造に関連するものである。この発明は、自動車用内装品等の樹脂成型品を製造する射出成形装置において、成形金型と、金型内に連設した射出手段と、金型の型締めを司る型締め手段と、金型・射出手段・型締め手段を収容する真空室と、真空室を真空状態に維持する真空排気手段とで構成し、この金型・射出手段・型締め手段を、真空室内に配設し、この真空下で動作して成型品を成形することを特徴とする。これにより、溶融樹脂の射出圧を低く設定して金型内のキャビティに、空気抵抗なく注入し、すばやく溶融樹脂を行き渡らせること、射出圧を小さくすることで、型締め圧も小さくすることができるので、型締め手段、金型の小型化が可能となること等の特徴がある。しかし、この発明は、真空室に収容した金型・射出手段・型締め手段を、この真空下で動作して成型品を成形する構造であり、使用が限定されること、特定の自動車用内装品等の樹脂成型品の製造に限定されること等の問題点が考えられる。
【００１０】
【特許文献１】特開平８−５７８２４号
【特許文献２】特開平８−２２９６３３号
【特許文献３】特開２００５−２９７５２８
【発明の開示】
【発明が解決しようとする課題】
【００１１】
前記文献（１）は、金型の一部の改良で、単に磁着方式の嵌合い関係であり、金型全体を、考慮とした改良でない。従って、金型全体に対する改良と、従来の効果を凌駕する優れた技術の付加も要求されるものと考えられる。
【００１２】
また前記文献（２）は、金型の一部の改良で、単に接線方向に、添加剤注入口を設けた構成であり、金型全体を考慮した改良でない。従って、金型全体に対する改良と、従来の効果を凌駕する優れた金型技術の付加も要求されるものと考えられる。
【００１３】
さらに文献（３）は、特定の条件下（真空下）で成形する方法である。従って、特定の樹脂製品を成形するには、有益である。しかしながら、自動車用内装品等の樹脂成型品においても、汎用性が要求される場合もあるので、改良の余地が考えられる。
【００１４】
上記に鑑み、本発明は、下記の特徴を発揮できる樹脂リング製品の製造金型を提供することを意図する。
【００１５】
「１」  樹脂リング製品であって、このリングの肉厚が略１ｍｍ程度で、幾十にも重なり設けられた構造（重畳構造）であっても、提案する樹脂リング製品の製造金型で製造可能であること、
「２」  前記肉厚が略１ｍｍ程度で、重畳構造の樹脂リング製品を、正確かつスムーズに成形できる樹脂リング製品の製造金型を提供すること、
「３」  湯道のノズルの先端を、可及的に接線方向に配備する構造とし、前記肉厚が略１ｍｍ程度で、重畳構造の樹脂リング製品を、正確かつスムーズに成形すること、
「４」  樹脂リング製品の製造金型の金型本体を八角形状に構成し、この金型本体を金型枠体に嵌合する構造とし、この金型本体の取替えの自由度を図ること、また該金型本体の小型化等を図ることを意図する。
【課題を解決するための手段】
【００１６】
請求項１の発明は、前述の「１」及び「２」に記載の特徴を達成することにある。
【００１７】
請求項１は、成形機に設置された溶融樹脂生成部と、この溶融樹脂生成部に設けた溶融樹脂注入部と、この溶融樹脂注入部に連通する注入口を備えた固定金型と、この固定金型に対峙し、かつ前記成形機に移動可能に設けられた可動金型とで構成した樹脂リング製品の製造金型であって、
前記固定金型の表面に、複数本の放射状の湯道（溶融樹脂道）と、この湯道に連通する樹脂リング製品用の環状溝と、ガイド棒挿入孔とを開設し、
またこの固定金型の内周面に、鋳込み用の金具係止用のピンを繞設し、
前記可動金型を、二枚のリング板を埋設した複数本のガイド棒を突設した第一の基板と、この第一の基板に空間をおいて対峙して設けた移動可能な第一のプレート及び／又は第二のプレートと、この第二のプレートに重畳して設けた第三のプレート及び／又は第四のプレートと、この第一のプレート〜第四のプレートを埋設した第二の基板と、この第四のプレートに設けた前記二枚のリング板に達する複数本のリング板押出し用のピンと、前記第一のプレートに設けた前記二枚のリング板に達する複数本の樹脂リング製品押出し用のピンと、前記第二のプレートを押圧するピストンロッドと、この第二のプレートと前記第一のプレートとの間に設けた空間と、前記第一の基板に他端を固止し、前記空間に一端が位置するストップピンと、前記第二のプレートと前記第三のプレートとを連結及び／又は離間可能とした、この第二のプレートと前記第三のプレートに設けた接離手段とで構成し、
また前記可動金型の表面に、複数本の放射状の湯道（溶融樹脂道）と、この湯道に連通する樹脂リング製品用の環状溝とを開設し、
さらに前記可動金型の内周面の表面に、前記鋳込み用の金具係止用のピンが挿入されるピン孔を複数個開設し、
この固定金型と可動金型とで環状のリング部及び／又は前記金具用のキャビティを構成し、このキャビティ内に溶融樹脂を充填する構成とした樹脂リング製品の製造金型である。
【００１８】
請求項２の発明は、請求項１の目的を達成し、またこの目的を達成するのに最適な樹脂リング製品の製造金型であって、そのリング板の構造を提供する。
【００１９】
請求項２は、請求項１に記載の樹脂リング製品の製造金型であって、
前記可動金型の二枚のリング板の間に環状のリング板で形成する環状中子を固止する構成とした樹脂リング製品の製造金型である。
【００２０】
請求項３の発明は、請求項１の目的を達成し、またこの目的を達成するのに最適な樹脂リング製品の製造金型であって、そのノズルの構造を提供すること、及び「３」に記載の特徴を達成することにある。
【００２１】
請求項３は、請求項１に記載の樹脂リング製品の製造金型であって、
前記固定金型及び可動金型の表面に設けた複数本の放射状の湯道（溶融樹脂道）は、先端のノズルを介して樹脂リング製品用の環状溝に連通し、このノズルが、環状溝の接線方向に開口する構成とした樹脂リング製品の製造金型である。
【００２２】
請求項４の発明は、請求項１の目的を達成し、またこの目的を達成するのに最適な樹脂リング製品の製造金型であって、その第二のプレートの構造と、第三のプレートの構造を提供する。
【００２３】
請求項４は、請求項１に記載の樹脂リング製品の製造金型であって、
前記第二のプレートと前記第三のプレートとの連結移動及び／又は離間可能とした接離手段は、この第二のプレートの側面に設けた第一の磁石と、第三のプレートの側面に設けた第二の磁石とで構成し、この第一の磁石と、第二の磁石とを、前記シリンダーのピストンロッドで離間する構成とした樹脂リング製品の製造金型である。
【００２４】
請求項５の発明は、前述の「４」に記載の特徴を達成することにある。
【００２５】
請求項５は、請求項１に記載の樹脂リング製品の製造金型であって、
前記固定金型を、ガイド棒挿入孔を開設した方形状の金型枠体と、この金型枠体に嵌合され、かつ複数本の放射状の湯道（溶融樹脂道）、及びこの湯道に連通する樹脂リング製品用の環状溝、並びにその内周面に繞設した複数本の鋳込み用の金具係止用のピンとでなる八角形状の金型本体と、で構成した樹脂リング製品の製造金型である。
【００２６】
請求項６の発明は、請求項１の目的を達成することにある。
【００２７】
請求項６は、請求項１に記載の樹脂リング製品の製造金型であって、
前記可動金型を、ガイド棒を設けた方形状の金型枠体と、この金型枠体に嵌合され、かつ複数本の放射状の湯道（溶融樹脂道）、及びこの湯道に連通する樹脂リング製品用の環状溝、並びにその内周面に開設した複数本の鋳込み用の金具係止用のピンが挿入される複数のピン孔とでなる八角形状の金型本体と、で構成した樹脂リング製品の製造金型である。
【発明の効果】
【００２８】
請求項１の発明は、成形機に設置された溶融樹脂生成部と、溶融樹脂生成部に設けた溶融樹脂注入部と、溶融樹脂注入部に連通する注入口を備えた固定金型と、固定金型に対峙し、かつ成形機に移動可能に設けられた可動金型とで構成した樹脂リング製品の製造金型であって、
固定金型の表面に、複数本の放射状の湯道（溶融樹脂道）と、湯道に連通する樹脂リング製品用の環状溝と、ガイド棒挿入孔とを開設し、
また固定金型の内周面に、鋳込み用の金具係止用のピンを繞設し、
可動金型を、二枚のリング板を埋設した複数本のガイド棒を突設した第一の基板と、第一の基板に空間をおいて対峙して設けた移動可能な第一のプレート及び／又は第二のプレートと、第二のプレートに重畳して設けた第三のプレート及び／又は第四のプレートと、第一のプレート〜第四のプレートを埋設した第二の基板と、第四のプレートに設けた二枚のリング板に達する複数本のリング板押出し用のピンと、第一のプレートに設けた二枚のリング板に達する複数本の樹脂リング製品押出し用のピンと、第二のプレートを押圧するピストンロッドと、第二のプレートと第一のプレートとの間に設けた空間と、第一の基板に他端を固止し、空間に一端が位置するストップピンと、第二のプレートと第三のプレートとを連結及び／又は離間可能とした、第二のプレートと第三のプレートに設けた接離手段とで構成し、
また可動金型の表面に、複数本の放射状の湯道（溶融樹脂道）と、湯道に連通する樹脂リング製品用の環状溝とを開設し、
さらに可動金型の内周面の表面に、鋳込み用の金具係止用のピンが挿入されるピン孔を複数個開設し、
固定金型と可動金型とで環状のリング部及び／又は金具用のキャビティを構成し、キャビティ内に溶融樹脂を充填する構成とした樹脂リング製品の製造金型である。
【００２９】
従って、請求項１は、下記の特徴を有する。
【００３０】
「１」  樹脂リング製品であって、このリングの肉厚が略１ｍｍ程度で、幾十にも重なり設けられた構造（重畳構造）であっても、提案する樹脂リング製品の製造金型を使用することで、製造できる。
【００３１】
「２」  前記肉厚が略１ｍｍ程度で、重畳構造の樹脂リング製品を、正確かつスムーズに成形できる樹脂リング製品の製造金型を提供できる。
【００３２】
請求項２の発明は、請求項１の目的を達成でき、またこの目的を達成するのに最適な樹脂リング製品の製造金型であって、そのリング板の構造を提供できる。
【００３３】
請求項２の発明は、請求項１に記載の樹脂リング製品の製造金型であって、
可動金型の二枚のリング板の間に環状のリング板で形成する環状中子を固止する構成とした樹脂リング製品の製造金型である。
【００３４】
従って、請求項２は、請求項１に記載の樹脂リング製品の製造金型であって、
可動金型の二枚のリング板の間に環状のリング板で形成する環状中子を固止する構成とした樹脂リング製品の製造金型である。
【００３５】
請求項３の発明は、請求項１に記載の樹脂リング製品の製造金型であって、
固定金型及び可動金型の表面に設けた複数本の放射状の湯道（溶融樹脂道）は、先端のノズルを介して樹脂リング製品用の環状溝に連通し、ノズルが、環状溝の接線方向に開口する構成とした樹脂リング製品の製造金型である。
【００３６】
従って、請求項３は、請求項１の目的を達成でき、またこの目的を達成するのに最適な樹脂リング製品の製造金型であって、そのノズルの構造を提供できる。さらに、下記の特徴を有する。
【００３７】
「３」  湯道のノズルの先端を、可及的に接線方向に配備する構造とし、前記肉厚が略１ｍｍ程度で、重畳構造の樹脂リング製品を、正確かつスムーズに成形できる。
【００３８】
請求項４の発明は、請求項１に記載の樹脂リング製品の製造金型であって、
第二のプレートと第三のプレートとの連結移動及び／又は離間可能とした接離手段は、第二のプレートの側面に設けた第一の磁石と、第三のプレートの側面に設けた第二の磁石とで構成し、第一の磁石と、第二の磁石とを、シリンダーのピストンロッドで離間する構成とした樹脂リング製品の製造金型である。
【００３９】
従って、請求項４は、請求項１の目的を達成できる。またこの目的を達成するのに最適な樹脂リング製品の製造金型であって、その第二のプレートの構造と、第三のプレートの構造を提供できる。
【００４０】
請求項５の発明は、請求項１に記載の樹脂リング製品の製造金型であって、
固定金型を、ガイド棒挿入孔を開設した方形状の金型枠体と、金型枠体に嵌合され、かつ複数本の放射状の湯道（溶融樹脂道）、及び湯道に連通する樹脂リング製品用の環状溝、並びに内周面に繞設した複数本の鋳込み用の金具係止用のピンとでなる八角形状の金型本体と、で構成した樹脂リング製品の製造金型である。
【００４１】
従って、請求項５は、下記の特徴を有する。
【００４２】
「４」  樹脂リング製品の製造金型の金型本体を八角形状に構成し、この金型本体を金型枠体に嵌合する構造とし、この金型本体の取替えの自由度が図れる。また該金型本体の小型化等が図れる。
【００４３】
請求項６の発明は、請求項１に記載の樹脂リング製品の製造金型であって、
可動金型を、ガイド棒を設けた方形状の金型枠体と、金型枠体に嵌合され、かつ複数本の放射状の湯道（溶融樹脂道）、及び湯道に連通する樹脂リング製品用の環状溝、並びに内周面に開設した複数本の鋳込み用の金具係止用のピンが挿入される複数のピン孔とでなる八角形状の金型本体と、で構成した樹脂リング製品の製造金型である。
【００４４】
従って、請求項６は、請求項１の目的を達成できる。
【発明を実施するための最良の形態】
【００４５】
以下、本発明の実施の態様（形態）を説明する。
【００４６】
図１は、固定金型と可動金型との関係を模式的に示した一部欠截の縮尺斜視図、図２は図１の可動金型の正面斜視図、図３−１は固定金型と可動金型との嵌合関係を正面視して模式的に示した断面図、図３−２は固定金型と可動金型との嵌合関係を側面視して模式的に示した断面図、図４−１は固定金型の正面図、図４−２−１は固定金型の金型本体を示した正面図、図４−２−２は固定金型の金型本体の外郭体を模式的に示した縮尺斜視図、図５−１は可動金型の正面図、図５−２−１は可動金型の金型本体を示した正面図、図５−２−２は可動金型の金型本体の外郭体を模式的に示した縮尺斜視図、図５−３−１は可動金型の金型本体に設けられる外側のリング板を示した正面図、図５−３−２は可動金型の金型本体に設けられる外側のリング板の模式的に示した縮尺斜視図、図５−４−１は可動金型の金型本体に設けられる内側のリング板を示した正面図、図５−４−２は可動金型の金型本体に設けられる内側のリング板を模式的に示した縮尺斜視図、図５−５は可動金型の金型本体に設けられる多重リング体の中子を示した正面図、図６は樹脂リング製品の正面図である。
【００４７】
本発明の射出成形機（図示せず、成形機とする）は、溶融樹脂生成部（図示せず）と、この溶融樹脂生成部に設けた溶融樹脂注入部Ａと、この溶融樹脂注入部Ａに連通する注入口Ｂを備えた固定金型Ｃ（一方金型）と、この可動金型Ｃに対峙し、かつ前記成形機に移動可能に設けられた可動金型Ｄ（他方金型）と、この固定金型Ｄを支持するホルダＥと、このホルダＥのガイドとなる複数本の杆体Ｆと、このホルダＥを前進後退するエジェクタ手段、トルグ手段等の型締め・型開き手段（図示せず）とを主構成とする。以下、個別に説明する。
【００４８】
この固定金型Ｃは、成形機のフレームに固止された固定側の金型枠体１（金型枠体１とする）と、この金型枠体１に嵌合された固定側の金型本体２（金型本体２とする）とで構成される。そして、この金型本体２の表面２Ａには、複数本の放射状の湯道２００（溶融樹脂道）と、この湯道２００に連通する複数条の樹脂リング製品用の環状溝２０１と膨出部Ｗ１とを形成する。そして、前記金型枠体１の表面１Ａの内周面１Ｂには、複数本のガイド棒挿入孔１００を開設する。
【００４９】
また前記湯道２００は環状溝２０１に接続されるが、この湯道２００の先端は、環状溝２０１の接線方向に接続されていることから、溶解樹脂が、肉厚の薄い（略１ＭＭ程度の一条でなる）環状溝２０１に確実かつスムーズに注入される。またこの金型枠体１を方形状とし、この方形状の金型枠体１に、八角形状の金型本体２を嵌合する構成を採用することで、例えば、この金型本体２の取替えの容易性、軽量化、メンテナンスの簡易化等を意図する。尚、この湯道２００は、前記注入口Ｂに連通する。
【００５０】
さらに金型本体２の表面２Ａの内周面２Ｂに、前記鋳込み用の金具係止用のピン２０２を複数本立設する。そして、この金具係止用のピン２０２に金具３が取付けられるとともに、この金具３は、後述する成形した樹脂リング製品Ｗの外周面に複数個設けた膨出部Ｗ１に鋳込み成形される。
【００５１】
次に、この可動金型Ｄは、可動側の金型枠体４（金型枠体４とする）と、この金型枠体４に嵌合された可動側の金型本体５（金型本体５とする）とで構成される。そして、この金型本体５の表面５Ａには、複数本の放射状の湯道５００（溶融樹脂道）と、この湯道５００に連通する複数条の樹脂リング製品Ｗ用の環状溝５０１と膨出部Ｗ１とを開設する。そして、前記金型枠体４の表面４Ａであって、その内周面４Ｂには、前記固定金型Ｃの金型枠体１に設けたガイド棒挿入孔１００に挿入されるガイド棒４００が複数本立設されている。
【００５２】
また前記湯道５００は環状溝５０１に接続されるが、この湯道５００の先端は、環状溝５０１の接線方向に接続されていることから、溶解樹脂が、肉厚の薄い（略１ＭＭ程度の一条でなる）環状溝５０１に確実かつスムーズに注入される。またこの金型枠体１を方形状とし、この方形状の金型枠体４に、八角形状の金型本体５を嵌合する構成を採用することで、例えば、この金型本体５の取替えの容易性、軽量化、メンテナンスの簡易化等を意図する。
【００５３】
そして、この金型本体５は、二枚の環状のリング板７、８を埋設し（二条の凹部がある）、前記金具係止用のピン２０２が挿入されるピン孔５０２を表面５Ａの内周面５Ｂに開設した八角形状の第一の基板１１と、この第一の基板１１に空間１２をおいて対峙し設けた移動可能な環状の第一のプレート１３Ａ及び／又は第二のプレート１３Ｂと、この第二のプレート１３Ｂに重畳して設けた環状の第三のプレート１３Ｃ及び／又は第四のプレート１３Ｄと、この第一のプレート〜第四のプレート１３Ａ〜１３Ｄを埋設した第二の基板１５と、この第四のプレート１３Ｄに設けた前記二枚のリング板７、８に達する複数本のリング板押出し用のピン１６、１７と、前記第一のプレート１３Ａに設けた前記二枚のリング板７、８に達する複数本の樹脂リング製品押出し用のピン１８、１９と、前記第二のプレート１３Ｂを押圧するピストンロッド２０と、この第二のプレート１３Ｂと前記第一のプレート１３Ａとの間に設けた空間２１と、前記第一の基板１１に他端を固止し、前記空間２１に一端が位置するストップピン２２と、前記第二のプレート１３Ｂと前記第三のプレート１３Ｃとを連結及び／又は離間可能とした、この第二のプレート１３Ｂと前記第三のプレート１３Ｃに設けた接離手段２３とで構成されている。そして、この接離手段２３は、第二のプレート１３Ｂと前記第三のプレート１３Ｃに、それぞれ設けた磁石２３Ａと２３Ｂであり、通電を介して接離する構造と、ピストンロッド２０の押圧（伸張）で解除し、またこのピストンロッド２０の収縮で磁着する構造、又はフック係合関係の構造等が考えられるが、本発明では、磁石構造とし、構造の簡略化と、確実な接離関係を確保すること等を意図する。図中２５は可動金型離形用のピンで、第一の基板１１に摺動自在に複数本設けられており、前記ピストンロッド２０を介して、前記第二のプレート１３Ｂと第一のプレート１３Ａが押圧される際に、前進し、固定金型Ｃからの可動金型Ｄの離脱を補助する構造である。そして、図示しないが他の可動金型離形用の細いピンが、この可動金型離形用のピン２５と連動する構造とすることも可能である。
【００５４】
図中２６は前記二枚のリング板７、８間に固止された多重リング体の中子を示しており、この多重リング体の中子２６は、固定金型Ｃと可動金型Ｄとの嵌合時において、金型本体２の環状溝２０１と、金型本体５の環状溝５０１とで形成されるキャビティＧ内に装着される。
【００５５】
次に本発明の成形方法を説明すると、
図１の固定金型Ｃと可動金型Ｄとが開放された状態から、可動金型Ｄが杆体Ｆをガイドとして矢印方向に移動する。この移動に伴って、固定金型Ｃのガイド棒挿入孔１００に、可動金型Ｄのガイド棒４００が挿入される。この状態が、図３−１と、図３−２であり、例えば、可動金型離形用のピン２５が、固定金型Ｃの金型本体２に設けた嵌合孔２０３に嵌入されている。尚、金型本体２の内周面２Ｂの表面２Ａに複数本立設した金具係止用のピン２０２には、金具３が取付けられている。
【００５６】
この状態において、金型本体２の環状溝２０１と、金型本体５の環状溝５０１とで形成されるキャビティＧが形成されてあり、このキャビティＧ内に、湯道２００、５００を介して溶融樹脂が注入される。この注入時に、この湯道２００、５００のノズルが、この環状溝２０１、５０１の接線方向に向っており、重畳するリング部位に向ってスムーズに注入される構造となっている。
【００５７】
以上のようにして、溶融樹脂を注入し、所定時間を経過し、注入した溶融樹脂が固まった状態となると、可動金型Ｄが後退し、固定金型Ｃから離間する。その後、ピストンロッド２０が前進し、第四のプレート１３Ｄと第三のプレート１３Ｃを移動し、この第三のプレート１３Ｃが、空間２１を縮めるようにして移動するとともに、リング板押出し用のピン１６、１７が移動し、二枚のリング板７、８を押出す（矢印方向に移動する）。この二枚のリング板７、８の押出しを介して樹脂リング製品Ｗを第一段階まで押出す。そして、さらにピストンロッド２０が前進すると、この第四のプレート１３Ｄと第三のプレート１３Ｃ及び／又はストップピン２２とを介して、この第三のプレート１３Ｃと第二のプレート１３Ｂとを一体化している接離手段２３を切離し、この第二のプレート１３Ｂへの拘束を開放し、当該第二のプレート１３Ｂと第一のプレート１３Ａの移動が可能となる。この第二のプレート１３Ｂと第一のプレート１３Ａの移動を介して、キャビティＧ内の樹脂リング製品Ｗを第二段階まで押出し、この第二段階による押出しで、可動金型Ｄの金型本体５より樹脂リング製品Ｗが離脱される。その後、可動金型離形用のピン２５が図示しないスプリングの反発力で復帰し、この金型本体５内に収容されるとともに、接離手段２３を介して、第二のプレート１３Ｂと第三のプレート１３Ｃが一体化し、この可動金型Ｄは、最初の状態であって、図１及び図２となる。
【００５８】
この離脱された樹脂リング製品Ｗを図６に示す。そして、この樹脂リング製品Ｗのリングの肉厚（半径方向の肉厚）は、略１ｍｍ程度である。またこのリング間の隙間が、略１ｍｍ程度となる。
【図面の簡単な説明】
【００５９】
【図１】図１は、固定金型と可動金型との関係を模式的に示した一部欠截の縮尺斜視図
【図２】図２は図１の可動金型の正面斜視図
【図３−１】図３−１は固定金型と可動金型との嵌合関係を正面視して模式的に示した断面図
【図３−２】図３−２は固定金型と可動金型との嵌合関係を側面視して模式的に示した断面図
【図４−１】図４−１は固定金型の正面図
【図４−２−１】図４−２−１は固定金型の金型本体を示した正面図
【図４−２−２】図４−２−２は固定金型の金型本体の外郭体を模式的に示した縮尺斜視図
【図５−１】図５−１は可動金型の正面図
【図５−２−１】図５−２−１は可動金型の金型本体を示した正面図
【図５−２−２】図５−２−２は可動金型の金型本体の外郭体を模式的に示した縮尺斜視図
【図５−３−１】図５−３−１は可動金型の金型本体に設けられる外側のリング板を示した正面図
【図５−３−２】図５−３−２は可動金型の金型本体に設けられる外側のリング板の模式的に示した縮尺斜視図
【図５−４−１】図５−４−１は可動金型の金型本体に設けられる内側のリング板を示した正面図
【図５−４−２】図５−４−２は可動金型の金型本体に設けられる内側のリング板の模式的に示した縮尺斜視図
【図５−５】図５−５は可動金型の金型本体に設けられる多重リング体の中子を示した正面図
【図６】図６は樹脂リング製品の正面図
【符号の説明】
【００６０】
Ａ            溶解樹脂注入部
Ｂ            注入口
Ｃ            固定金型
Ｄ            可動金型
Ｅ            ホルダ
Ｆ            杆体
１            金型枠体
１Ａ          表面
１Ｂ          内周面
１００        ガイド棒挿入孔
２            金型本体
２Ａ          表面
２Ｂ          内周面
２００        湯道
２０１        環状溝
２０２        金具係止用のピン
２０３        嵌合孔
３            金具
４            金型枠体
４Ａ          表面
４Ｂ          内周面
４００        ガイド棒
５            金型本体
５Ａ          表面
５Ｂ          内周面
５００        湯道
５０１        環状溝
５０２        ピン孔
７            リング板
８            リング板
１１          第一の基板
１２          空間
１３Ａ        第一のプレート
１３Ｂ        第二のプレート
１３Ｃ        第三のプレート
１３Ｄ        第四のプレート
１５          第二の基板
１６          リング板押出し用のピン
１７          リング板押出し用のピン
１８          樹脂リング製品押出し用のピン
１９          樹脂リング製品押出し用のピン
２０          ピストンロッド
２１          空間
２２          ストップピン
２３          接離手段
２３Ａ        磁石
２３Ｂ        磁石
２５          可動金型離形用のピン
２６          多重リング体の中子
Ｗ            樹脂リング製品
Ｗ１          膨出部
Ｇ            キャビティ
【図１】
2008120049.tif 000003
【図２】
2008120049.tif 000004
【図３−１】
2008120049.tif 000005
【図３−２】
2008120049.tif 000006
【図４−１】
2008120049.tif 000007
【図４−２−１】
2008120049.tif 000008
【図４−２−２】
2008120049.tif 000009
【図５−１】
2008120049.tif 000010
【図５−２−１】
2008120049.tif 000011
【図５−２−２】
2008120049.tif 000012
【図５−３−１】
2008120049.tif 000013
【図５−３−２】
2008120049.tif 000014
【図５−４−１】
2008120049.tif 000015
【図５−４−２】
2008120049.tif 000016
【図５−５】
2008120049.tif 000017
【図６】
2008120049.tif 000018
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
成形機に設置された溶融樹脂生成部と、この溶融樹脂生成部に設けた溶融樹脂注入部と、この溶融樹脂注入部に連通する注入口を備えた固定金型と、この固定金型に対峙し、かつ前記成形機に移動可能に設けられた可動金型とで構成した樹脂リング製品の製造金型であって、
前記固定金型の表面に、複数本の放射状の湯道（溶融樹脂道）と、この湯道に連通する樹脂リング製品用の環状溝と、ガイド棒挿入孔とを開設し、
またこの固定金型の内周面に、鋳込み用の金具係止用のピンを繞設し、
前記可動金型を、二枚のリング板を埋設し、かつ、複数本のガイド棒を突設した第一の基板と、この第一の基板に空間をおいて対峙して設けた移動可能な第一のプレート及び第二のプレートと、この第二のプレートに重畳して設けた第三のプレート及び第四のプレートと、この第一のプレート〜第四のプレートを埋設した第二の基板と、この第四のプレートに設けた前記二枚のリング板に達する複数本のリング板押出し用のピンと、前記第一のプレートに設けた前記二枚のリング板に達する複数本の樹脂リング製品押出し用のピンと、前記第二のプレートを押圧するピストンロッドと、この第二のプレートと前記第一のプレートとの間に設けた空間と、前記第一の基板に他端を固止し、前記空間に一端が位置するストップピンと、前記第二のプレートと前記第三のプレートとを連結及び／又は離間可能とした、この第二のプレートと前記第三のプレートに設けた接離手段とで構成し、
また前記可動金型の表面に、複数本の放射状の湯道（溶融樹脂道）と、この湯道に連通する樹脂リング製品用の環状溝とを開設し、
さらに前記可動金型の内周面の表面に、前記鋳込み用の金具係止用のピンが挿入されるピン孔を複数個開設し、
この固定金型と可動金型とで環状のリング部及び／又は前記金具用のキャビティを構成し、このキャビティ内に溶融樹脂を充填する構成とした樹脂リング製品の製造金型。
【請求項２】
請求項１に記載の樹脂リング製品の製造金型であって、
前記可動金型の二枚のリング板の間に環状のリング板で形成する環状中子を固止する構成とした樹脂リング製品の製造金型。
【請求項３】
請求項１に記載の樹脂リング製品の製造金型であって、
前記固定金型及び可動金型の表面に設けた複数本の放射状の湯道（溶融樹脂道）は、先端のノズルを介して樹脂リング製品用の環状溝に連通し、このノズルが、環状溝の接線方向に開口する構成とした樹脂リング製品の製造金型。
【請求項４】
請求項１に記載の樹脂リング製品の製造金型であって、
前記第二のプレートと前記第三のプレートとの連結移動及び／又は離間可能とした接離手段は、この第二のプレートの側面に設けた第一の磁石と、第三のプレートの側面に設けた第二の磁石とで構成し、この第一の磁石と、第二の磁石とを、前記シリンダーのピストンロッドで離間する構成とした樹脂リング製品の製造金型。
【請求項５】
請求項１に記載の樹脂リング製品の製造金型であって、
前記固定金型を、ガイド棒挿入孔を開設した方形状の金型枠体と、この金型枠体に嵌合され、かつ複数本の放射状の湯道（溶融樹脂道）、及びこの湯道に連通する樹脂リング製品用の環状溝、並びにその内周面に繞設した複数本の鋳込み用の金具係止用のピンとでなる八角形状の金型本体と、で構成した樹脂リング製品の製造金型。
【請求項６】
請求項１に記載の樹脂リング製品の製造金型であって、
前記可動金型を、ガイド棒を設けた方形状の金型枠体と、この金型枠体に嵌合され、かつ複数本の放射状の湯道（溶融樹脂道）、及びこの湯道に連通する樹脂リング製品用の環状溝、並びにその内周面に開設した複数本の鋳込み用の金具係止用のピンが挿入される複数のピン孔とでなる八角形状の金型本体と、で構成した樹脂リング製品の製造金型。
【手続補正２】
【補正対象書類名】明細書
【補正対象項目名】全文
【補正方法】変更
【補正の内容】
【発明の詳細な説明】
【技術分野】
【０００１】
本発明は、リング形状の樹脂製品に金具を鋳込み鋳造する樹脂リング製品の製造金型に関する。
【背景技術】
【０００２】
従来、この種のリング形状（多重環状でなる形状）の樹脂製品を射出成形で成形するには、キャビティ内に均等に溶融樹脂が注入されず、美麗な成形ができなかった。その最大の理由は、このリングの一条（リング）の肉厚（半径方向の肉厚）が、略１ｍｍ程度であって、このリングが幾十にも積層されて、リング形状の樹脂製品が製造されている。そして、このリングの一条間の隙間が、略１ｍｍ程度の構造となっている。従って、従来の成形機では、連続的な成形は、困難であった。
【０００３】
前記の理由の他には、従来の車輌用における部品として、この種の大型のリング形状の樹脂製品は、従来は、それ程、必要がなかった。しかし、車種の多様化と、車輌の特異性から、この種の大型のリング形状の樹脂製品が要望される状況となった。
【０００４】
このような社会情勢と、公害及び／又は燃料の高騰化等を引き金として、バッテリー（電気）自動車の要望が多くなり、部品の供給と、部品の低コスト化等が要望されている。
【０００５】
以上のような要望を満足するために、本発明は、樹脂リング製品の製造金型を提供して、自動車業界から要望が多い、部品の供給と、部品の低コスト化を達成することを意図する。
【０００６】
そして、この種の樹脂リング製品の製造金型に関する先行文献の一例を説明するが、原則として、この種の樹脂リング製品の製造金型は見当たらなかったので、関連がある金型に関する先行文献（「１」第二のプレートと第三のプレートとの連結移動及び／又は離間可能とした接離手段、「２」ノズルが、環状溝の接線方向に開口する等の構造）と、射出成形機を挙げる。
【０００７】
文献（１）は、特開平８−５７８２４号の「成形型の造型方法」の発明であり、本発明の接離手段に関連するものである。この発明は、上下型（上下の金型）を、磁石を介して確実、かつ隙間なく嵌合し、かつ位置決めすることで、型組み精度の向上と、鋳造製品の品質の向上等を図ることを意図する。しかし、この発明は、磁石の磁着力を単に利用した位置決め構造であり、また対の磁石を利用して、上下型の連結移動を図る構造ではない。
【０００８】
また文献（２）は、特開平８−２２９６３３号の「鋳物砂連続混練装置」の発明であり、本発明のノズルが、環状溝の接線方向に開口する構造に関連するものである。この発明は、添加剤注入口を、混練撹拌羽根の回転方向に向って形成する構造とし、鋳物砂に添加剤を効率的に混練することを意図する。しかし、この発明は、接線方向に向って、添加剤注入口を注入する構造であり、従来の注入方法と本質的に変わらない。またこの発明は、添加剤注入口の先端を、可及的に接線方向に配備する構造でなく、精緻な接線方向への配備を検討した場合には、改良の余地がある。
【０００９】
さらに文献（３）は、特開２００５−２９７５２８の「射出成形装置および樹脂成型品の成形方法」の発明であり、本発明の全体構造に関連するものである。この発明は、自動車用内装品等の樹脂成型品を製造する射出成形装置において、成形金型と、金型内に連設した射出手段と、金型の型締めを司る型締め手段と、金型・射出手段・型締め手段を収容する真空室と、真空室を真空状態に維持する真空排気手段とで構成し、この金型・射出手段・型締め手段を、真空室内に配設し、この真空下で動作して成型品を成形することを特徴とする。これにより、溶融樹脂の射出圧を低く設定して金型内のキャビティに、空気抵抗なく注入し、すばやく溶融樹脂を行き渡らせること、射出圧を小さくすることで、型締め圧も小さくすることができるので、型締め手段、金型の小型化が可能となること等の特徴がある。しかし、この発明は、真空室に収容した金型・射出手段・型締め手段を、この真空下で動作して成型品を成形する構造であり、使用が限定されること、特定の自動車用内装品等の樹脂成型品の製造に限定されること等の問題点が考えられる。
【００１０】
【特許文献１】特開平８−５７８２４号
【特許文献２】特開平８−２２９６３３号
【特許文献３】特開２００５−２９７５２８
【発明の開示】
【発明が解決しようとする課題】
【００１１】
前記文献（１）は、金型の一部の改良で、単に磁着方式の嵌合い関係であり、金型全体を、考慮とした改良でない。従って、金型全体に対する改良と、従来の効果を凌駕する優れた技術の付加も要求されるものと考えられる。
【００１２】
また前記文献（２）は、金型の一部の改良で、単に接線方向に、添加剤注入口を設けた構成であり、金型全体を考慮した改良でない。従って、金型全体に対する改良と、従来の効果を凌駕する優れた金型技術の付加も要求されるものと考えられる。
【００１３】
さらに文献（３）は、特定の条件下（真空下）で成形する方法である。従って、特定の樹脂製品を成形するには、有益である。しかしながら、自動車用内装品等の樹脂成型品においても、汎用性が要求される場合もあるので、改良の余地が考えられる。
【００１４】
上記に鑑み、本発明は、下記の特徴を発揮できる樹脂リング製品の製造金型を提供することを意図する。
【００１５】
「１」  樹脂リング製品であって、このリングの肉厚が略１ｍｍ程度で、幾十にも重なり設けられた構造（重畳構造）であっても、提案する樹脂リング製品の製造金型で製造可能であること、
「２」  前記肉厚が略１ｍｍ程度で、重畳構造の樹脂リング製品を、正確かつスムーズに成形できる樹脂リング製品の製造金型を提供すること、
「３」  湯道のノズルの先端を、可及的に接線方向に配備する構造とし、前記肉厚が略１ｍｍ程度で、重畳構造の樹脂リング製品を、正確かつスムーズに成形すること、
「４」  樹脂リング製品の製造金型の金型本体を八角形状に構成し、この金型本体を金型枠体に嵌合する構造とし、この金型本体の取替えの自由度を図ること、また該金型本体の小型化等を図ることを意図する。
【課題を解決するための手段】
【００１６】
請求項１の発明は、前述の「１」及び「２」に記載の特徴を達成することにある。
【００１７】
請求項１は、成形機に設置された溶融樹脂生成部と、この溶融樹脂生成部に設けた溶融樹脂注入部と、この溶融樹脂注入部に連通する注入口を備えた固定金型と、この固定金型に対峙し、かつ前記成形機に移動可能に設けられた可動金型とで構成した樹脂リング製品の製造金型であって、
前記固定金型の表面に、複数本の放射状の湯道（溶融樹脂道）と、この湯道に連通する樹脂リング製品用の環状溝と、ガイド棒挿入孔とを開設し、
またこの固定金型の内周面に、鋳込み用の金具係止用のピンを繞設し、
前記可動金型を、二枚のリング板を埋設し、かつ、複数本のガイド棒を突設した第一の基板と、この第一の基板に空間をおいて対峙して設けた移動可能な第一のプレート及び第二のプレートと、この第二のプレートに重畳して設けた第三のプレート及び第四のプレートと、この第一のプレート〜第四のプレートを埋設した第二の基板と、この第四のプレートに設けた前記二枚のリング板に達する複数本のリング板押出し用のピンと、前記第一のプレートに設けた前記二枚のリング板に達する複数本の樹脂リング製品押出し用のピンと、前記第二のプレートを押圧するピストンロッドと、この第二のプレートと前記第一のプレートとの間に設けた空間と、前記第一の基板に他端を固止し、前記空間に一端が位置するストップピンと、前記第二のプレートと前記第三のプレートとを連結及び／又は離間可能とした、この第二のプレートと前記第三のプレートに設けた接離手段とで構成し、
また前記可動金型の表面に、複数本の放射状の湯道（溶融樹脂道）と、この湯道に連通する樹脂リング製品用の環状溝とを開設し、
さらに前記可動金型の内周面の表面に、前記鋳込み用の金具係止用のピンが挿入されるピン孔を複数個開設し、
この固定金型と可動金型とで環状のリング部及び／又は前記金具用のキャビティを構成し、このキャビティ内に溶融樹脂を充填する構成とした樹脂リング製品の製造金型である。
【００１８】
請求項２の発明は、請求項１の目的を達成し、またこの目的を達成するのに最適な樹脂リング製品の製造金型であって、そのリング板の構造を提供する。
【００１９】
請求項２は、請求項１に記載の樹脂リング製品の製造金型であって、
前記可動金型の二枚のリング板の間に環状のリング板で形成する環状中子を固止する構成とした樹脂リング製品の製造金型である。
【００２０】
請求項３の発明は、請求項１の目的を達成し、またこの目的を達成するのに最適な樹脂リング製品の製造金型であって、そのノズルの構造を提供すること、及び「３」に記載の特徴を達成することにある。
【００２１】
請求項３は、請求項１に記載の樹脂リング製品の製造金型であって、
前記固定金型及び可動金型の表面に設けた複数本の放射状の湯道（溶融樹脂道）は、先端のノズルを介して樹脂リング製品用の環状溝に連通し、このノズルが、環状溝の接線方向に開口する構成とした樹脂リング製品の製造金型である。
【００２２】
請求項４の発明は、請求項１の目的を達成し、またこの目的を達成するのに最適な樹脂リング製品の製造金型であって、その第二のプレートの構造と、第三のプレートの構造を提供する。
【００２３】
請求項４は、請求項１に記載の樹脂リング製品の製造金型であって、
前記第二のプレートと前記第三のプレートとの連結移動及び／又は離間可能とした接離手段は、この第二のプレートの側面に設けた第一の磁石と、第三のプレートの側面に設けた第二の磁石とで構成し、この第一の磁石と、第二の磁石とを、前記シリンダーのピストンロッドで離間する構成とした樹脂リング製品の製造金型である。
【００２４】
請求項５の発明は、前述の「４」に記載の特徴を達成することにある。
【００２５】
請求項５は、請求項１に記載の樹脂リング製品の製造金型であって、
前記固定金型を、ガイド棒挿入孔を開設した方形状の金型枠体と、この金型枠体に嵌合され、かつ複数本の放射状の湯道（溶融樹脂道）、及びこの湯道に連通する樹脂リング製品用の環状溝、並びにその内周面に繞設した複数本の鋳込み用の金具係止用のピンとでなる八角形状の金型本体と、で構成した樹脂リング製品の製造金型である。
【００２６】
請求項６の発明は、請求項１の目的を達成することにある。
【００２７】
請求項６は、請求項１に記載の樹脂リング製品の製造金型であって、
前記可動金型を、ガイド棒を設けた方形状の金型枠体と、この金型枠体に嵌合され、かつ複数本の放射状の湯道（溶融樹脂道）、及びこの湯道に連通する樹脂リング製品用の環状溝、並びにその内周面に開設した複数本の鋳込み用の金具係止用のピンが挿入される複数のピン孔とでなる八角形状の金型本体と、で構成した樹脂リング製品の製造金型である。
【発明の効果】
【００２８】
請求項１の発明は、成形機に設置された溶融樹脂生成部と、溶融樹脂生成部に設けた溶融樹脂注入部と、溶融樹脂注入部に連通する注入口を備えた固定金型と、固定金型に対峙し、かつ成形機に移動可能に設けられた可動金型とで構成した樹脂リング製品の製造金型であって、
固定金型の表面に、複数本の放射状の湯道（溶融樹脂道）と、湯道に連通する樹脂リング製品用の環状溝と、ガイド棒挿入孔とを開設し、
また固定金型の内周面に、鋳込み用の金具係止用のピンを繞設し、
可動金型を、二枚のリング板を埋設し、かつ、複数本のガイド棒を突設した第一の基板と、第一の基板に空間をおいて対峙して設けた移動可能な第一のプレート及び第二のプレートと、第二のプレートに重畳して設けた第三のプレート及び第四のプレートと、第一のプレート〜第四のプレートを埋設した第二の基板と、第四のプレートに設けた二枚のリング板に達する複数本のリング板押出し用のピンと、第一のプレートに設けた二枚のリング板に達する複数本の樹脂リング製品押出し用のピンと、第二のプレートを押圧するピストンロッドと、第二のプレートと第一のプレートとの間に設けた空間と、第一の基板に他端を固止し、空間に一端が位置するストップピンと、第二のプレートと第三のプレートとを連結及び／又は離間可能とした、第二のプレートと第三のプレートに設けた接離手段とで構成し、
また可動金型の表面に、複数本の放射状の湯道（溶融樹脂道）と、湯道に連通する樹脂リング製品用の環状溝とを開設し、
さらに可動金型の内周面の表面に、鋳込み用の金具係止用のピンが挿入されるピン孔を複数個開設し、
固定金型と可動金型とで環状のリング部及び／又は金具用のキャビティを構成し、キャビティ内に溶融樹脂を充填する構成とした樹脂リング製品の製造金型である。
【００２９】
従って、請求項１は、下記の特徴を有する。
【００３０】
「１」  樹脂リング製品であって、このリングの肉厚が略１ｍｍ程度で、幾十にも重なり設けられた構造（重畳構造）であっても、提案する樹脂リング製品の製造金型を使用することで、製造できる。
【００３１】
「２」  前記肉厚が略１ｍｍ程度で、重畳構造の樹脂リング製品を、正確かつスムーズに成形できる樹脂リング製品の製造金型を提供できる。
【００３２】
請求項２の発明は、請求項１の目的を達成でき、またこの目的を達成するのに最適な樹脂リング製品の製造金型であって、そのリング板の構造を提供できる。
【００３３】
請求項２の発明は、請求項１に記載の樹脂リング製品の製造金型であって、
可動金型の二枚のリング板の間に環状のリング板で形成する環状中子を固止する構成とした樹脂リング製品の製造金型である。
【００３４】
従って、請求項２は、請求項１に記載の樹脂リング製品の製造金型であって、
可動金型の二枚のリング板の間に環状のリング板で形成する環状中子を固止する構成とした樹脂リング製品の製造金型である。
【００３５】
請求項３の発明は、請求項１に記載の樹脂リング製品の製造金型であって、
固定金型及び可動金型の表面に設けた複数本の放射状の湯道（溶融樹脂道）は、先端のノズルを介して樹脂リング製品用の環状溝に連通し、ノズルが、環状溝の接線方向に開口する構成とした樹脂リング製品の製造金型である。
【００３６】
従って、請求項３は、請求項１の目的を達成でき、またこの目的を達成するのに最適な樹脂リング製品の製造金型であって、そのノズルの構造を提供できる。さらに、下記の特徴を有する。
【００３７】
「３」  湯道のノズルの先端を、可及的に接線方向に配備する構造とし、前記肉厚が略１ｍｍ程度で、重畳構造の樹脂リング製品を、正確かつスムーズに成形できる。
【００３８】
請求項４の発明は、請求項１に記載の樹脂リング製品の製造金型であって、
第二のプレートと第三のプレートとの連結移動及び／又は離間可能とした接離手段は、第二のプレートの側面に設けた第一の磁石と、第三のプレートの側面に設けた第二の磁石とで構成し、第一の磁石と、第二の磁石とを、シリンダーのピストンロッドで離間する構成とした樹脂リング製品の製造金型である。
【００３９】
従って、請求項４は、請求項１の目的を達成できる。またこの目的を達成するのに最適な樹脂リング製品の製造金型であって、その第二のプレートの構造と、第三のプレートの構造を提供できる。
【００４０】
請求項５の発明は、請求項１に記載の樹脂リング製品の製造金型であって、
固定金型を、ガイド棒挿入孔を開設した方形状の金型枠体と、金型枠体に嵌合され、かつ複数本の放射状の湯道（溶融樹脂道）、及び湯道に連通する樹脂リング製品用の環状溝、並びに内周面に繞設した複数本の鋳込み用の金具係止用のピンとでなる八角形状の金型本体と、で構成した樹脂リング製品の製造金型である。
【００４１】
従って、請求項５は、下記の特徴を有する。
【００４２】
「４」  樹脂リング製品の製造金型の金型本体を八角形状に構成し、この金型本体を金型枠体に嵌合する構造とし、この金型本体の取替えの自由度が図れる。また該金型本体の小型化等が図れる。
【００４３】
請求項６の発明は、請求項１に記載の樹脂リング製品の製造金型であって、
可動金型を、ガイド棒を設けた方形状の金型枠体と、金型枠体に嵌合され、かつ複数本の放射状の湯道（溶融樹脂道）、及び湯道に連通する樹脂リング製品用の環状溝、並びに内周面に開設した複数本の鋳込み用の金具係止用のピンが挿入される複数のピン孔とでなる八角形状の金型本体と、で構成した樹脂リング製品の製造金型である。
【００４４】
従って、請求項６は、請求項１の目的を達成できる。
【発明を実施するための最良の形態】
【００４５】
以下、本発明の実施の態様（形態）を説明する。
【００４６】
図１は、固定金型と可動金型との関係を模式的に示した一部欠截の縮尺斜視図、図２は図１の可動金型の正面斜視図、図３−１は固定金型と可動金型との嵌合関係を正面視して模式的に示した断面図、図３−２は固定金型と可動金型との嵌合関係を側面視して模式的に示した断面図、図４−１は固定金型の正面図、図４−２−１は固定金型の金型本体を示した正面図、図４−２−２は固定金型の金型本体の外郭体を模式的に示した縮尺斜視図、図５−１は可動金型の正面図、図５−２−１は可動金型の金型本体を示した正面図、図５−２−２は可動金型の金型本体の外郭体を模式的に示した縮尺斜視図、図５−３−１は可動金型の金型本体に設けられる外側のリング板を示した正面図、図５−３−２は可動金型の金型本体に設けられる外側のリング板の模式的に示した縮尺斜視図、図５−４−１は可動金型の金型本体に設けられる内側のリング板を示した正面図、図５−４−２は可動金型の金型本体に設けられる内側のリング板を模式的に示した縮尺斜視図、図５−５は可動金型の金型本体に設けられる多重リング体の中子を示した正面図、図６は樹脂リング製品の正面図である。
【００４７】
本発明の射出成形機（図示せず、成形機とする）は、溶融樹脂生成部（図示せず）と、この溶融樹脂生成部に設けた溶融樹脂注入部Ａと、この溶融樹脂注入部Ａに連通する注入口Ｂを備えた固定金型Ｃ（一方金型）と、この可動金型Ｃに対峙し、かつ前記成形機に移動可能に設けられた可動金型Ｄ（他方金型）と、この固定金型Ｄを支持するホルダＥと、このホルダＥのガイドとなる複数本の杆体Ｆと、このホルダＥを前進後退するエジェクタ手段、トルグ手段等の型締め・型開き手段（図示せず）とを主構成とする。以下、個別に説明する。
【００４８】
この固定金型Ｃは、成形機のフレームに固止された固定側の金型枠体１（金型枠体１とする）と、この金型枠体１に嵌合された固定側の金型本体２（金型本体２とする）とで構成される。そして、この金型本体２の表面２Ａには、複数本の放射状の湯道２００（溶融樹脂道）と、この湯道２００に連通する複数条の樹脂リング製品用の環状溝２０１と膨出部Ｗ１とを形成する。そして、前記金型枠体１の表面１Ａの内周面１Ｂには、複数本のガイド棒挿入孔１００を開設する。
【００４９】
また前記湯道２００は環状溝２０１に接続されるが、この湯道２００の先端は、環状溝２０１の接線方向に接続されていることから、溶解樹脂が、肉厚の薄い（略１ｍｍ程度の一条でなる）環状溝２０１に確実かつスムーズに注入される。またこの金型枠体１を方形状とし、この方形状の金型枠体１に、八角形状の金型本体２を嵌合する構成を採用することで、例えば、この金型本体２の取替えの容易性、軽量化、メンテナンスの簡易化等を意図する。尚、この湯道２００は、前記注入口Ｂに連通する。
【００５０】
さらに金型本体２の表面２Ａの内周面２Ｂに、前記鋳込み用の金具係止用のピン２０２を複数本立設する。そして、この金具係止用のピン２０２に金具３が取付けられるとともに、この金具３は、後述する成形した樹脂リング製品Ｗの外周面に複数個設けた膨出部Ｗ１に鋳込み成形される。
【００５１】
次に、この可動金型Ｄは、可動側の金型枠体４（金型枠体４とする）と、この金型枠体４に嵌合された可動側の金型本体５（金型本体５とする）とで構成される。そして、この金型本体５の表面５Ａには、複数本の放射状の湯道５００（溶融樹脂道）と、この湯道５００に連通する複数条の樹脂リング製品Ｗ用の環状溝５０１と膨出部Ｗ１とを開設する。そして、前記金型枠体４の表面４Ａであって、その内周面４Ｂには、前記固定金型Ｃの金型枠体１に設けたガイド棒挿入孔１００に挿入されるガイド棒４００が複数本立設されている。
【００５２】
また前記湯道５００は環状溝５０１に接続されるが、この湯道５００の先端は、環状溝５０１の接線方向に接続されていることから、溶解樹脂が、肉厚の薄い（略１ｍｍ程度の一条でなる）環状溝５０１に確実かつスムーズに注入される。またこの金型枠体１を方形状とし、この方形状の金型枠体４に、八角形状の金型本体５を嵌合する構成を採用することで、例えば、この金型本体５の取替えの容易性、軽量化、メンテナンスの簡易化等を意図する。
【００５３】
そして、この金型本体５は、二枚の環状のリング板７、８を埋設し（二条の凹部がある）、前記金具係止用のピン２０２が挿入されるピン孔５０２を表面５Ａの内周面５Ｂに開設した八角形状の第一の基板１１と、この第一の基板１１に空間１２をおいて対峙し設けた移動可能な環状の第一のプレート１３Ａ及び第二のプレート１３Ｂと、この第二のプレート１３Ｂに重畳して設けた環状の第三のプレート１３Ｃ及び第四のプレート１３Ｄと、この第一のプレート〜第四のプレート１３Ａ〜１３Ｄを埋設した第二の基板１５と、この第四のプレート１３Ｄに設けた前記二枚のリング板７、８に達する複数本のリング板押出し用のピン１６、１７と、前記第一のプレート１３Ａに設けた前記二枚のリング板７、８に達する複数本の樹脂リング製品押出し用のピン１８、１９と、前記第二のプレート１３Ｂを押圧するピストンロッド２０と、この第二のプレート１３Ｂと前記第一のプレート１３Ａとの間に設けた空間２１と、前記第一の基板１１に他端を固止し、前記空間２１に一端が位置するストップピン２２と、前記第二のプレート１３Ｂと前記第三のプレート１３Ｃとを連結及び／又は離間可能とした、この第二のプレート１３Ｂと前記第三のプレート１３Ｃに設けた接離手段２３とで構成されている。そして、この接離手段２３は、第二のプレート１３Ｂと前記第三のプレート１３Ｃに、それぞれ設けた磁石２３Ａと２３Ｂであり、通電を介して接離する構造と、ピストンロッド２０の押圧（伸張）で解除し、またこのピストンロッド２０の収縮で磁着する構造、又はフック係合関係の構造等が考えられるが、本発明では、磁石構造とし、構造の簡略化と、確実な接離関係を確保すること等を意図する。図中２５は可動金型離形用のピンで、第一の基板１１に摺動自在に複数本設けられており、前記ピストンロッド２０を介して、前記第二のプレート１３Ｂと第一のプレート１３Ａが押圧される際に、前進し、固定金型Ｃからの可動金型Ｄの離脱を補助する構造である。そして、図示しないが他の可動金型離形用の細いピンが、この可動金型離形用のピン２５と連動する構造とすることも可能である。
【００５４】
図中２６は前記二枚のリング板７、８間に固止された多重リング体の中子を示しており、この多重リング体の中子２６は、固定金型Ｃと可動金型Ｄとの嵌合時において、金型本体２の環状溝２０１と、金型本体５の環状溝５０１とで形成されるキャビティＧ内に装着される。
【００５５】
次に本発明の成形方法を説明すると、
図１の固定金型Ｃと可動金型Ｄとが開放された状態から、可動金型Ｄが杆体Ｆをガイドとして矢印方向に移動する。この移動に伴って、固定金型Ｃのガイド棒挿入孔１００に、可動金型Ｄのガイド棒４００が挿入される。この状態が、図３−１と、図３−２であり、例えば、可動金型離形用のピン２５が、固定金型Ｃの金型本体２に設けた嵌合孔２０３に嵌入されている。尚、金型本体２の内周面２Ｂの表面２Ａに複数本立設した金具係止用のピン２０２には、金具３が取付けられている。
【００５６】
この状態において、金型本体２の環状溝２０１と、金型本体５の環状溝５０１とで形成されるキャビティＧが形成されてあり、このキャビティＧ内に、湯道２００、５００を介して溶融樹脂が注入される。この注入時に、この湯道２００、５００のノズルが、この環状溝２０１、５０１の接線方向に向っており、重畳するリング部位に向ってスムーズに注入される構造となっている。
【００５７】
以上のようにして、溶融樹脂を注入し、所定時間を経過し、注入した溶融樹脂が固まった状態となると、可動金型Ｄが後退し、固定金型Ｃから離間する。その後、ピストンロッド２０が前進し、第四のプレート１３Ｄと第三のプレート１３Ｃを移動し、この第三のプレート１３Ｃが、空間２１を縮めるようにして移動するとともに、リング板押出し用のピン１６、１７が移動し、二枚のリング板７、８を押出す（矢印方向に移動する）。この二枚のリング板７、８の押出しを介して樹脂リング製品Ｗを第一段階まで押出す。そして、さらにピストンロッド２０が前進すると、この第四のプレート１３Ｄと第三のプレート１３Ｃ及び／又はストップピン２２とを介して、この第三のプレート１３Ｃと第二のプレート１３Ｂとを一体化している接離手段２３を切離し、この第二のプレート１３Ｂへの拘束を開放し、当該第二のプレート１３Ｂと第一のプレート１３Ａの移動が可能となる。この第二のプレート１３Ｂと第一のプレート１３Ａの移動を介して、キャビティＧ内の樹脂リング製品Ｗを第二段階まで押出し、この第二段階による押出しで、可動金型Ｄの金型本体５より樹脂リング製品Ｗが離脱される。その後、可動金型離形用のピン２５が図示しないスプリングの反発力で復帰し、この金型本体５内に収容されるとともに、接離手段２３を介して、第二のプレート１３Ｂと第三のプレート１３Ｃが一体化し、この可動金型Ｄは、最初の状態であって、図１及び図２となる。
【００５８】
この離脱された樹脂リング製品Ｗを図６に示す。そして、この樹脂リング製品Ｗのリングの肉厚（半径方向の肉厚）は、略１ｍｍ程度である。またこのリング間の隙間が、略１ｍｍ程度となる。
【図面の簡単な説明】
【００５９】
【図１】図１は、固定金型と可動金型との関係を模式的に示した一部欠截の縮尺斜視図
【図２】図２は図１の可動金型の正面斜視図
【図３−１】図３−１は固定金型と可動金型との嵌合関係を正面視して模式的に示した断面図
【図３−２】図３−２は固定金型と可動金型との嵌合関係を側面視して模式的に示した断面図
【図４−１】図４−１は固定金型の正面図
【図４−２−１】図４−２−１は固定金型の金型本体を示した正面図
【図４−２−２】図４−２−２は固定金型の金型本体の外郭体を模式的に示した縮尺斜視図
【図５−１】図５−１は可動金型の正面図
【図５−２−１】図５−２−１は可動金型の金型本体を示した正面図
【図５−２−２】図５−２−２は可動金型の金型本体の外郭体を模式的に示した縮尺斜視図
【図５−３−１】図５−３−１は可動金型の金型本体に設けられる外側のリング板を示した正面図
【図５−３−２】図５−３−２は可動金型の金型本体に設けられる外側のリング板の模式的に示した縮尺斜視図
【図５−４−１】図５−４−１は可動金型の金型本体に設けられる内側のリング板を示した正面図
【図５−４−２】図５−４−２は可動金型の金型本体に設けられる内側のリング板の模式的に示した縮尺斜視図
【図５−５】図５−５は可動金型の金型本体に設けられる多重リング体の中子を示した正面図
【図６】図６は樹脂リング製品の正面図
【符号の説明】
【００６０】
Ａ            溶解樹脂注入部
Ｂ            注入口
Ｃ            固定金型
Ｄ            可動金型
Ｅ            ホルダ
Ｆ            杆体
１            金型枠体
１Ａ          表面
１Ｂ          内周面
１００        ガイド棒挿入孔
２            金型本体
２Ａ          表面
２Ｂ          内周面
２００        湯道
２０１        環状溝
２０２        金具係止用のピン
２０３        嵌合孔
３            金具
４            金型枠体
４Ａ          表面
４Ｂ          内周面
４００        ガイド棒
５            金型本体
５Ａ          表面
５Ｂ          内周面
５００        湯道
５０１        環状溝
５０２        ピン孔
７            リング板
８            リング板
１１          第一の基板
１２          空間
１３Ａ        第一のプレート
１３Ｂ        第二のプレート
１３Ｃ        第三のプレート
１３Ｄ        第四のプレート
１５          第二の基板
１６          リング板押出し用のピン
１７          リング板押出し用のピン
１８          樹脂リング製品押出し用のピン
１９          樹脂リング製品押出し用のピン
２０          ピストンロッド
２１          空間
２２          ストップピン
２３          接離手段
２３Ａ        磁石
２３Ｂ        磁石
２５          可動金型離形用のピン
２６          多重リング体の中子
Ｗ            樹脂リング製品
Ｗ１          膨出部
Ｇ            キャビティ